(57)【特許請求の範囲】
【請求項１】
直立型締結具駆動工具であって、
末端に配設された締結具駆動部材を備えた回動軸を有する回転ドライバと、
回転ドライバに連結された上端を有する上部管に嵌合式に連結されると共に、上部管内に配設されたバネ部材により回転ドライバから離間すべく付勢された下端を有する下部管と、
下部管の下端に連結されると共に、該下部管内に軸方向に延びる締結具駆動部材に対して一直線上に配置された締結具駆動位置に締結具を保持する開口を有するノーズ部と、
上部管に対して下部管が縮動したときに締結具駆動部材は圧縮バネの付勢力に抗してノーズ部に対して進入可能で、かつ、上部管に対して下部管が伸長したときに締結具駆動部材はノーズ部から退出可能となっており、
マガジンスロットを有し、かつ、上下のピンにより複数の締結具が並置して保持配設され得ると共に上下のピンは起動可能にマガジンスロット内に進入しかつマガジンスロット内から退出し得るマガジンと、
マガジンとノーズ部とを連結する供給管とを備え、
上部管に対して下部管が伸長したときに、上部ピンはマガジンスロット内に進入すると共に下部ピンはマガジンスロットから退出せしめられ、上部ピンはマガジン内に複数の締結具を保持し、
上部管に対して下部管が縮動されたときに、下部ピンはマガジンスロット内に進入すると共に上部ピンはマガジンスロットから退出せしめられ、下部ピンはマガジン内に複数の締結具を保持し、
これにより、上部管に対して下部管が伸長したときに、複数の締結具の内の最下位締結具はマガジンから解放されて供給管に向けて供給される、直立型締結具駆動工具において、
上部管に起動可能に連結されると共に、上部管に対する下部管の縮動および伸長時にマガジンに対して移動可能なカム部材と、
下部ピンは第１枢動部材に連結され、上部ピンは第２枢動部材に連結され、上下のピンはマガジンスロット内に進入すべく付勢されており、
上部管に対して下部管が伸長したときに第１枢動部材を枢動してマガジンスロットから下部ピンを退出せしめる、カム部材の第１カム面、および、上部管に対して下部管が縮動されたときに第２枢動部材を枢動してマガジンスロットから上部ピンを退出せしめる、カム部材の第２カム面とを更に備えて成ることを特徴とする、直立型締結具駆動工具。
【請求項２】
第１枢動部材および第２枢動部材は共通枢動点の回りにおいてマガジンに枢動連結され、
第１枢動部材および第２枢動部材にはバネ部材が連結されて上下のピンをマガジンスロット内に付勢し、
第１枢動部材はカム部材の第１カム面と係合可能な第１カム係合部材を有し、
第２枢動部材はカム部材の第２カム面と係合可能な第２カム係合部材を有し、
これにより、カム部材はバネ部材の付勢力に抗して第１枢動部材および第２枢動部材を枢動せしめる請求項１記載の直立型締結具駆動工具。
【請求項３】
マガジンスロットは第１部分および湾曲部分を有し、
マガジンスロットの上記第１部分は締結具のシャンクを供給管の中心軸線に対して非平行に配向し、かつ、マガジンスロットの上記湾曲部分は締結具のシャンクを供給管の中心軸線に対して実質的に平行に配向し、
これにより、マガジンから供給管に供給された締結具のシャンクは、締結具が供給管に接近するにつれて該供給管の中心軸に対して実質的に一直線上に配置される請求項１記載の直立型締結具駆動工具。
【請求項４】
マガジンスロットは、シャンクおよびヘッドを有する締結具を受容かつ保持すべく実質的にＴ字形状の断面を有し、
マガジンスロットは、締結具のシャンク近傍に配設された側壁部と、締結具ヘッドの底面近傍の肩部と、締結具ヘッドの頂面近傍の端壁部とにより画成される請求項１記載の直立型締結具駆動工具。
【請求項５】
供給管は、マガジンスロットと連通して該マガジンスロットから該供給管への締結具の通過を許容する開口を有し、
供給管は磁化壁部を有し、
これにより、マガジンから供給管に供給された締結具は供給管の磁化壁部に沿って保持される請求項１記載の直立型締結具駆動工具。
【請求項６】
前記直立型締結具駆動工具は、上部管に起動可能に連結されたプランジャを更に備え、
該プランジャは、上部管に対して下部管が縮動されたときに供給管に対して移動することにより供給管の磁化壁部に沿って保持された締結具を解放する請求項５記載の直立型締結具駆動工具。
【請求項７】
マガジンに連結されると共に、マガジンスロットに連結された管ホルダと、
ヘッドおよびシャンクを有する複数個の締結具を自身内に並置して保持する通路を有する締結具供給管と、を更に備え、
締結具供給管は管ホルダの保持溝内に配設されて該締結具供給管の通路をマガジンスロットに連結し、
これにより、締結具供給管内に並置された複数個の締結具はマガジンスロットへと移送可能である請求項１記載の直立型締結具駆動工具。
【請求項８】
締結具供給管の少なくとも一個の端部は、複数個の締結具を該締結具供給管の通路内に保持する締結具保持部材を有し、
管ホルダ内には突起部が進入して締結具保持部材と係合することにより、締結具供給管が管ホルダの保持溝内に配設されたときに締結具供給管の通路から締結具保持部材を撓曲離脱せしめ、
これにより、締結具保持部材が締結具供給管の通路から撓曲離脱されたときに、締結具供給管内に保持された締結具は締結具供給管からマガジンスロット内へと解放される請求項７記載の直立型締結具駆動工具。
【発明の詳細な説明】
【０００１】
【発明の属する技術分野】
本発明は直立型締結具駆動工具(stand-up fastener driving tool)に関し、より詳細には、揃えられたネジ式締結具を締結具マガジンから起動可能に供給すると共に、供給された締結具を直立型締結具駆動工具のノーズ部に供給してワーク内に取付ける装置および方法に関する。
【０００２】
【従来の技術】
屋根葺き(roofing) および床葺き(flooring)の分野において習用であるように、以下において集合的にデッキと称される上側部材および下側支持部材を貫通させて締結具(fastener)を取付ける上で、直立型締結具駆動工具の出現は相当の進歩をもたらした。例えば、米国特許第５３０２０６８号は、トリガ起動可能な回転ドライバを含む直立ガン型ネジ駆動工具を開示しているが、これは工業品質の携帯式電気工具であり、回転ドライバと連結された外側上部管と、該上部管内に配設された圧縮バネ部材により回転ドライバから嵌合式に離間付勢された内側下部管と、を貫通して延在する回動可能軸により、ソケット部分を備えたネジ駆動部材と連結されている。
【０００３】
上記米国特許第５３０２０６８号のネジ駆動部材は、デッキに抗してノーズ部を押下することにより圧縮バネ部材の付勢力に抗して内側下部管を回転ドライバに向けて嵌合式に移動させると同時に、内側下部管の末端に連結されたノーズ部に関して非作動位置から作動位置へと移動可能である。作動位置においてソケット部分はノーズ部の枢動顎部間のネジ駆動位置に保持されたネジと係合することからネジはネジ駆動部材に対して一直線上に配置され、その結果、デッキに対するノーズ部の押下が継続されて顎部を開くことによりネジを解放すると共にノーズ部を貫通させてネジ駆動部材を進入させ、これにより、ネジをデッキ内に駆動する。この米国特許第５３０２０６８号の関連特徴によれば、ネジ駆動部材は、ネジ頭に形成された凹所内に配設され得る凸端を備えると共にバネにより付勢されたセンタリングピンを含むが、これは、ネジをネジ駆動部材の中心軸線に対して、より詳細には、そのソケット部分と中心合せする為のものである。一実施形態においては、センタリングピンの凸端とネジの凹所とは相補的な截頭円錐形状の表面を有することにより、ネジ駆動部材のソケット部分に対してネジを回転配向し、これにより、ソケット部分によるネジへの係合を促進している。
【０００４】
上記米国特許第５３０２０６８号の直立ガン型ネジ駆動工具は、嵌合式の上部管と下部管に並置して配設されたネジ供給管をも含んでいる。こうして、供給管の上端は、その内部へのネジの手動挿入を容易化すべく漏斗状部材を含み、ネジは供給管の上端から、取付ブロックによりノーズ部に連結された供給管の下端に向けて重力落下せしめられる。非作動位置に在るノーズ部からネジ駆動部材が退出せしめられたとき、取付ブロックを貫通する通路は、ノーズ部の枢動顎部間のネジ駆動位置へと供給管からネジを導く。米国特許第５，３０２，０６８号のこれらのおよび他の特徴を取入れた直立ガン型ネジ駆動工具は、イリノイ州所在のITW Buildex からAutotraxx(商標名) およびFastraxx（商標名）の商標の下で市販されている。
【０００５】
【発明が解決しようとする課題】
米国特許第５３０２０６８号の直立ガン型ネジ駆動工具を含む多くの直立型締結具駆動工具においては、操作者はネジの各々を供給管内に個々に挿入せねばならず、先に挿入されたネジがデッキ内に駆動されるまで、次のネジは供給管内に挿入できない。１または複数のネジを供給管内に挿入すると、ネジ駆動部材が非作動位置と作動位置との間を移動するときに閉塞される可能性がある。また、ネジ駆動部材が作動位置に在るときに次のネジを供給管内に供給すると、先に供給されたネジを取付けた後にノーズ部からネジ駆動部材が完全に離間、退出するのが妨げられる可能性がある。本発明者等は、先に挿入されたネジがデッキ内に取付けられた後においてのみ、取付に先立って各ネジを供給管内に手動挿入することは時間が掛かると共に集中力を失わせることから、手動挿入の必要性を排除することが望ましいと認識した。
【０００６】
一方、直立型締結具駆動工具に対して締結具を装填する上で優れた特徴を提供すべき他の試みも行われてきた。例えば、米国特許第３９６０１９１号は、複数個のネジを内部に保持する供給管を有する直立ガン(gun) 型ネジ駆動工具を開示している。また、供給管は嵌合式管組立体の端部に配設されたノーズ部に連結されている。こうして、嵌合式管の縮動および伸長の間において供給管内には枢動アームがその両端部の夫々の穂状部分(ear) を交互に位置せしめ、先に解放されたネジの取付けの後で嵌合式管組立体が伸長したときに、枢動アームの穂状部分は供給管内に保持された複数のネジの内の１個をノーズ部に向けて解放する。より最近のものとしては、米国特許第５１９９６２５号は、内部に配設された数本の鋲を保持すると共に直立型締結具駆動工具のノーズ部内に形成されたスロット内にこれらの鋲を導く可撓管を開示している。こうして、スロット内ではシャトル部材がノーズ部の開口に向けて横手方向に移動し、スロット内に配設された１個の鋲をノーズ部の上記開口に移送しているが、鋲は鋲駆動部材により係合されるまで磁石により該鋲駆動部材に対して一直線上に配置、保持されている。上記シャトルは、一度に１個の鋲のみが供給管からスロットへ落下するのを許容するが、これは、シャトルがノーズ部の開口から退出せしめられたときに生ずるものである。
【０００７】
上述した米国特許第５３０２０６８号および米国特許第３９６０１９１号の配置形態では、操作者によりネジが個々に供給管内に装填される必要があるが、これは現場では集中力を失わせると共に面倒な作業であり、特に、天候条件が悪い場合や危険な作業現場において顕著である。また、上述した米国特許第５１９９６２５号および米国特許第３９６０１９１号の配置形態はツールの作動の間において複数個のネジもしくは鋲を保持する締結具供給管部分を含んでいるが、各ネジもしくは鋲は頭尾(head-to-point) 関係で供給管内に装填もしくは積載されねばならず、その内部に保持しうる締結具の個数を制限している。
【０００８】
本発明は、直立型締結具駆動工具内に締結具を保持かつ供給する分野における新たな進歩に関するものである。
従って、本発明の目的は、先行技術に伴う問題を克服すると共に、経済的で信頼性があり、既存の直立型締結具駆動工具に対して一体化しまたはそれを改造し得る新規な直立型締結具駆動工具およびその方法を提供すると共に、揃えられた締結具を締結具マガジンに保持して其処から供給し、かつ、供給された締結具を直立型締結具駆動工具のノーズ部に供給する新規な方法および装置ならびにその組合せ、を提供するにある。
【０００９】
【課題を解決するための手段】
本発明は、その末端に配設された締結具駆動部材を備えた回動軸を有する回転ドライバを含む新規な直立型締結具駆動工具を提供する。下部管は回転ドライバに連結された上部管に嵌合式に連結され、下部管はバネ部材により回転ドライバから離間付勢されると共に下部管にはノーズ部が連結され、該ノーズ部は締結具駆動部材に対して一直線上に配置された締結具を保持する開口を含む。締結具駆動部材は、圧縮バネの付勢力に抗した下部管および上部管の縮動に際してノーズ部に向けて進入可能であり、締結具駆動部材は下部管および上部管の伸長に際してノーズ部から退出可能である。マガジン内には、該マガジン内に進入しかつ該マガジンから退出可能な上下のピンにより複数個の締結具が並置して保持される。下部管および上部管が伸長したときに上部ピンはマガジン内に進入してその中の締結具を保持すると共に下部ピンはマガジンから退出せしめられ、またはこの代わりに、下部管および上部管が縮動されたときに下部ピンはマガジン内に進入せしめられてその中の締結具を保持すると共に上部ピンはマガジンから退出せしめられる。斯くして、下部管および上部管の伸長および縮動時に、マガジンとノーズ部とを連結する供給管に向けて締結具がマガジンから個々にかつ順次に解放される。
【００１０】
本発明は、概略的に上述すると共に、上部管に起動可能に連結され、かつ、下部管および上部管の縮動および伸長時にマガジンに対して可動であるカム部材を含む新規な直立型締結具駆動工具を提供する。上下のピンはマガジン内に付勢され、カム部材は下部管および上部管が伸長したときにマガジンから下部ピンを退出せしめる為に第１枢動部材を枢動し、かつ、カム部材は下部管および上部管が縮動されたときにマガジンから上部ピンを退出せしめるべく第２枢動部材を枢動する。
【００１１】
また、本発明は、供給管が、マガジンから供給された締結具を捕捉して自身に沿って保持する磁化壁部を含む、新規な直立型締結具駆動工具を提供する。上部管に起動可能に連結されると共に供給管に対して可動であるプランジャは、下部管および上部管が縮動されたときに、供給管の磁化壁部に沿って保持された締結具を解放する。本発明は、下部管および上部管が縮動されたときにマガジン内に進入し得る下部傾斜尖端を有し、これにより、該ブレード部材の傾斜尖端は供給管の磁化壁部に沿って保持された締結具のシャンクと係合することにより、締結具が供給管からノーズ部に向けて解放される以前に締結具のシャンクを供給管の中心軸線に対して一直線上に配置する、ブレード部材を提供する。
【００１２】
本発明は、下部管および上部管が伸長したときに供給管の磁化壁部に沿って該磁化壁部から解放された締結具を締結具駆動部材に対して一直線上に保持する顎部を備えたノーズ部を有し、これにより、引続き下部管および上部管が縮動されたときにノーズ部の顎部の間に保持された締結具と締結具駆動部材が係合し得、かつ、下部管および上部管の更なる縮動時に締結具を自身から解放すべく顎部は拡開離間し得る、新規な直立型締結具駆動工具を提供する。
【００１３】
本発明は、マガジンに連結された管ホルダと、その保持溝内に並置配列された複数個の締結具を保持する締結具供給管とを有する新規な直立型締結具駆動工具を提供する。締結具供給管は管ホルダ内に配設されて該締結具供給管の通路をマガジンに連結可能であり、これにより、締結具供給管内の締結具は並置配列(side by side arrangement)された状態で該締結具供給管からマガジン内に移送可能であ。直立型締結具駆動工具は、締結具供給管が管ホルダの保持溝内に配設されたときに作動可能となる。
【００１４】
本発明は、締結具供給管内の複数個の締結具を係合保持すべく締結具供給管の少なくとも一方の端部に向けて配設された１個以上の締結具保持部材を有する締結具供給管と組合せ使用可能な管ホルダを有する新規な直立型締結具駆動工具を提供する。管ホルダ内に進入する対応突起部は、締結具供給管が管ホルダ内に配設されたときに締結具供給管内の締結具から締結具保持部材を引き離し、これにより、締結具は締結具供給管から解放されてマガジンの上部へと移送され、其処から締結具は、上部管および下部管の縮動および伸長によりノーズ部に向けて順次に供給される。
【００１５】
本発明のこれらのおよび他の目的、特徴、側面および利点は、以下の発明の詳細な説明および添付図面を吟味して考察することにより更に明らかとなろうが、添付図面は理解を助ける為に寸法不均衡なこともある一方、同一の構造および段階は同一の参照番号および記号により参照される。
【００１６】
【発明の実施の形態】
図１、２は、回転ドライバ１２を備えた締結具駆動工具１０を示しており、該ツールは、末端に締結具駆動部材２０が配設された回動軸１６を有する、トリガ１４により駆動され得る携帯式電気工具とされ得る。好適な締結具駆動部材２０は、截頭円錐形状の締結具ヘッドと係合可能なソケット２２と、締結具２をソケット２２に対して一直線上に配置するために、ソケット２２内に設けられたピン２４とを含んでいるが、これは、米国特許第５３０２０６８号の実施形態により更に詳細に開示されており、その内容を本明細書と一体のものとして参照する。
【００１７】
直立型締結具駆動工具１０は、回転ドライバ１２に連結された上端４２を有する上部管４０に嵌合式に連結された下部管３０を更に含んでいる。下部管３０の下端３２は、上部管４０内に配設されたバネ部材４４により回転ドライバ１２から離間すべく付勢されている。下部管３０の下端３２にはノーズ部５０が連結されており、該ノーズ部５０は、下部管３０内において軸方向に延びる締結具駆動部材２０に対して一直線上に配置された締結具駆動位置に締結具２を維持する為の開口５２を含んでいる。締結具駆動部材２０は、圧縮バネ４４に抗して下部管３０が上部管４０に対して縮動したときにノーズ部５０に向けて進入可能であり、かつ、該締結具駆動部材２０は、上部管に対して下部管が伸長したときにノーズ部５０から退動離間する。
【００１８】
図１、２の好適実施形態のノーズ部５０は、対応する締結具保持端５５を有する２個の顎部(jaw) ５４を含み、これらは対応するバネ部材５６により対応する枢動軸５３回りにおいて相互に向けて枢動付勢されることにより各締結具保持端５５間の開口５２を少なくとも部分的に画成する。ノーズ部５０は、また、図２を参照すると、片方のみ示される２個の対向プレート部材５８を含み、これは、下部管３０の下端３２に連結されることにより２個の顎部５４を枢動可能に支持すると共に開口５２の側部を画成している。プレート部材５８の尖端５９は、上部管４０に対して下部管３０を縮動する不図示のデッキもしくはワークに対して押下可能に係合し、その結果、下部管３０が上部管４０に対して縮動されるにつれて締結具駆動部材２０はノーズ部５０に向けて進入可能でありかつその顎部５４間に保持された締結具２と係合可能である。上部管４０に対する下部管３０の更なる縮動により、各顎部５４間で締結具駆動部材２０により係合された締結具２は突出移動され、各顎部５４はバネ部材５６の付勢に抗して相互に枢動離間して両者間の開口５２を増大し、これにより、各顎部５４から締結具２は解放されて締結具はワークへと取付けられる。締結具駆動部材２０およびノーズ部５０の種々の形状は、米国特許第５３０２０６８号に更に詳細に開示されており、その内容を本明細書と一体のものとして参照する。
【００１９】
図１、２および図８は、対向するガイドレール６２間のマガジンスロット７０と、上部ピン６４、下部ピン６６を有するマガジン６０を含む直立型締結具駆動工具１０を示しており、これらのピンは略々水平かつ平行であると共にマガジンスロット７０内に進入しかつマガジンスロット７０から退出せしめられることによりその上部７１内に並置された複数の締結具を保持する。この好適実施形態は２本の上部ピン６４、６５を含むと共に単一本の下部ピン６６を含んでいるが、他の形態としては２本の下部ピンおよび１本の上部ピンのみを含んでも良い。下部管３０が上部管４０に対して伸長したときに上部ピン６４、６５はマガジンスロット７０内に進入すると共に下部ピン６６はマガジンスロット７０から退出せしめられ、図示すように上部ピン６４、６５はマガジンスロット７０の上部７１内に複数個の締結具を保持する。尚、図１、２においては図面の繁雑さを回避すべく単一個の締結具４のみが示されている。こうして、下部管３０が上部管４０に対して縮動されたときに下部ピン６６は実質的に代替的にマガジンスロット７０内に進入可能であると共に上部ピンはマガジンスロット７０から退出し、下部ピン６６は以下に論ずるようにマガジンスロット７０の上部７１内に複数の締結具を保持する。形状に依っては、上部管４０、下部管３０の縮動および伸長の一定の段階の間において上下のピンが同時にマガジン６０内に進入しても良い。
【００２０】
図３および図４から図８を参照すると、第１枢動部材８０に連結された下部ピン６６、および、第２枢動部材９０に連結された上部ピン６４、６５を示しており、上下のピンはマガジンスロット７０内に進入すべく付勢されている。より詳細には、第１と第２の枢動部材８０、９０は、共通ボルトまたはその回りを枢動し得る他の締着部材６７によりマガジン６０に対して枢動連結されている。図３はバネ部材６８を示しているが、該バネ部材６８は、第１と第２の枢動部材８０、９０の対応する外側８２および９２に連結されることにより第１と第２の枢動部材８０、９０を相互に向けて枢動して上部ピン６４、６５および下部ピン６６を相互に向けてかつマガジンスロット７０内に付勢する対応する脚部６９を有している。
【００２１】
図１は、上部管４０に起動可能に連結されると共に上部管４０に対して下部管３０が縮動および伸長したときにマガジン６０に対して移動し得るカム部材１００を示している。図４から図７において、カム部材１００の第１カム面１１０は下部管３０が上部管４０に対して伸長したときに第１枢動部材８０を枢動させて下部ピン６６をマガジンスロット７０から退出せしめ、かつ、カム部材１００の第２カム面１２０は下部管３０が上部管４０に対して縮動されたときに第２枢動部材９０を枢動させて上部ピン６４、６５をマガジンスロット７０から退出せしめ、これにより、カム部材１００はバネ部材６８の付勢力に抗して第１と第２の枢動部材８０、９０を枢動せしめる。従って、上部管４０に対して下部管３０が伸長される場合において下部ピン６６がマガジンスロット７０から退出せしめられるときに単一のもしくは複数の上部ピン６４、６５はマガジンスロット７０内に進入したままとなることから、図４に示すように上部ピン６４、６５は複数の締結具をマガジン内に保持する。同様に、上部管４０に対して下部管３０が縮動される場合において上部ピン６４、６５がマガジンスロット７０から退出せしめられたときに下部ピン６６はマガジンスロット７０内に進入したままとなることから、図６に示すように下部ピン６６は複数個の締結具をマガジン内に保持する。
【００２２】
上部ピン６４、６５および下部ピン６６は両者ともに、下部管３０が上部管４０に対して最大伸長位置と最大縮動位置との間で移動されるときにマガジンスロット７０内に進入せしめられる。従って、カム部材１００が図４の配置状態から図６の配置状態へと下動されたときに上部ピン６４、６５および下部ピン６６は両者ともに図５においてマガジンスロット７０内に進入せしめられるが、これは、上部管４０に対して下部管３０が伸長位置から縮動位置へと移動するときに生ずるものである。同様に、カム部材１００が図６の配置状態から図４の配置状態へと上動されるときに上部ピン６４、６５および下部ピン６６は両者ともに図７においてマガジンスロット７０内に進入せしめられるが、これは、上部管４０に対して下部管３０が縮動位置から伸長位置へと移動するときに生ずるものである。
【００２３】
図１から図７の好適実施形態においては、第１枢動部材８０はカム部材１００の第１カム面１１０と係合可能な第１カム係合部材８４を有し、かつ、第２枢動部材９０はカム部材１００の第２カム面１２０と係合可能な第２カム係合部材９４を有している。より詳細には、図４から図７において、第１カム面１１０は第１突出面部１１２を有し、該突出面部１１２は、上部管４０に対して下部管３０が伸長されるときに第１カム係合部材８４と係合して図１から図３に示されたバネ部材６８の付勢力に抗して第１枢動部材８０を枢動せしめ、これにより、図４に示すようにマガジンスロット７０から下部ピン６６を退出せしめる。また、カム部材１００が図４の配置状態から図５の配置状態へと下動するとき、第１カム係合部材８４は第１傾斜面部１１４に沿って第１カム面１１０の第１凹面部１１６へと移動し、バネ部材６８の付勢力により第１枢動部材８０を枢動せしめ、これにより、図５に示すように下部ピン６６をマガジンスロット７０内に進入せしめる。こうして、カム部材１００が図４の配置状態から図５の配置状態へと下動するときに上部ピン６４、６５はマガジンスロット７０内に進入したままであるが、これは、第２カム係合部材９４が第２カム面１２０の第２凹部１２２に沿って移動する結果である。
【００２４】
同様に図４から図７においては、カム部材１００が図５の配置状態から図６の配置状態へと下動し続けられたときに、第２カム係合部材９４は凹面部１２２から第２傾斜面部１２４に沿って第２カム面１２０の第２突出面部１２６へと移動して第２枢動部材９０をバネ部材６８の付勢力に抗して枢動せしめ、これにより、図６に示すように上部ピン６４、６５をマガジンスロット７０から退出せしめる。こうして、カム部材１００が図５の配置状態から図６の配置状態へと下動せしめられるときに下部ピン６６はマガジンスロット７０内に進入したままであるが、これは、第１カム係合部材８４が第１カム面１１０の第１凹面部１１６に沿って移動する結果である。このサイクルは、上部管４０に対して下部管３０が伸長されるにつれてカム部材１００が図６の配置状態から図７の配置状態へと上動してから図４の配置状態へと戻るときに、逆順に行われる。
【００２５】
カム部材１００が図４の配置状態から図６の配置状態へと下動するとき、マガジンスロット７０の上部７１内に並置されて最初は上部ピン６４、６５により保持されている複数個の締結具は、上述のようにマガジンスロット７０内で下降されてその内部に下部ピン６６により保持される。その後、カム部材１００が図６の配置状態から図４の配置状態へと上動するとき、上部ピン６４、６５および下部ピン６６の両者はマガジンスロット７０内に進入せしめられ、図７に示すように、複数個の締結具の最下位締結具４は下部ピン６６により保持されると共に次上位締結具３は上部ピン６４、６５により保持される。最下位締結具４はカム部材１００が上動するときに最終的に下部ピン６６の退出により解放されるが、これは、図４に示された締結具５の解放と同様に、上部管４０に対して下部管３０が縮動位置から伸長位置へと移動するときに生ずるものである。本発明のこの特徴に依れば、上部管４０に対する下部管３０の縮動および伸長と同時に、複数個の締結具はマガジンスロット７０の上部７１から、マガジン６０とノーズ部５０とを連結する供給管１３０へと向けて個々にかつ順次に進められて解放され、これにより、以下において更に論ずるように、マガジン６０の上部７１から解放された締結具は重力によりマガジンスロット７０に沿って供給管１３０へと供給される。
【００２６】
図１は、締結具取入口７３を有するマガジンスロット７０の上部７１と、供給管１３０に連結されたマガジンスロット７０の下部湾曲部７４とを示している。マガジンスロット７０の上部７１はその内部に並置して配設された締結具のシャンクを供給管１３０の中心軸線に略非平行に配向し、次にマガジンスロット７０の下部湾曲部７４はその内部に配設された締結具のシャンクを、マガジン６０が供給管１３０に連結される箇所で供給管１３０の中心軸線に対して実質的に平行に配向し、これにより、マガジンスロット７０の上部７１から解放されて供給管１３０に向けて供給された締結具のシャンクは、締結具がマガジンスロット７０の下部湾曲部７４に沿って供給管１３０へと移動するにつれて供給管１３０の中心軸線に対して更に一直線上に配置されることとなる。
【００２７】
図８は、シャンク部およびヘッド部を有する締結具４を受容かつ保持する実質的にＴ形状の断面を有するマガジンスロット７０を示している。マガジンスロット７０の断面形状は、締結具のシャンク近傍の側壁部７５、７６、締結具ヘッドの底面近傍の対向肩部７７、７８、並びに、締結具ヘッドの頂面近傍の端壁部７９により画成される。
【００２８】
図９から図１１は開口１３２を有する供給管１３０を示しており、該開口１３２は、マガジンスロット７０と連結されることによりマガジンスロット７０の下部湾曲部７４から解放された締結具２が供給管１３０へ通過するのを許容する。供給管１３０は、その内部に取付けられて供給管開口１３２と実質的に対向する１個以上の磁石１３５により形成された磁化壁部１３４を有し、これにより、図１０に示すようにマガジンスロット７０から供給管１３０へと供給された締結具２は供給管１３０の磁化壁部１３４に沿って保持される。従って、上部管４０に対して下部管３０が伸長されるとき、上述のようにマガジン６０の上部７１から１個の締結具が解放されると共に、重力により供給管１３０へと供給され、締結具は其処でその磁化壁部１３４により捕捉されかつ該磁化壁部１３４に沿って保持される。
【００２９】
図１、２および図９から図１１は上部管４０に起動可能に連結されたプランジャ１４０を示しているが、上部管４０に対して下部管３０が縮動されたときに該プランジャ１４０は供給管１３０に対して移動することにより、供給管１３０の磁化壁部１３４に沿って保持された１個の締結具を解放し得る。上記好適実施形態においてプランジャ１４０は係合面１４２を有すると共に、供給管１３０内に往復動可能に配設されている。図１は、上部管４０に対して下部管３０が伸長されることによりマガジンスロット７０と供給管１３０との間の供給管開口１３２を通る障害物の無い通路を提供したときにバネ部材１４４により磁化壁部１３４から離間すべく付勢されたプランジャ１４０を示している。従って、図１０、１１に示すように上部管４０に対して下部管３０が縮動されたときにプランジャ１４０の係合面１４２はバネ部材１４４の付勢力に抗して供給管１３０に沿って軸心方向に移動され、これにより、磁化壁部１３４から解放された締結具は重力によりノーズ部５０へと供給される。
【００３０】
こうして、供給管１３０の磁化壁部１３４から解放された締結具がノーズ部５０の開口５２内へと直ちに通過するのでは無い。と言うのは、上部管４０に対して下部管３０が縮動されたときに締結具駆動部材２０はノーズ部５０に向けて進入せしめられるからであり、これは、バネ部材１４４の付勢力に抗してプランジャ１４０を移動させることにより磁化壁部１３４から締結具を解放する作用と同様である。締結具駆動部材２０はこの様に供給管１３０から解放された締結具がノーズ部５０の開口５２内へと通過するのを阻止するが、この阻止は、上部管４０に対して下部管３０が伸長されることにより締結具駆動部材２０をノーズ部５０から退出せしめるまで行われ、その後、締結具は、上述のように締結具駆動部材２０に対して一直線上に配置された締結具駆動位置においてノーズ部５０の各顎部５４間に位置せしめられかつ保持される。同様に、上部管４０に対して下部管３０を伸長する間に、別の締結具がマガジン６０から解放されると共に供給管１３０の磁化壁部１３４に対して供給されかつ該磁化壁部１３４に沿って維持される。
【００３１】
図１、２および図９から図１１に示された本発明の関連特徴に依れば、プランジャ１４０は、その係合面１４２を越えて突出する下部傾斜尖端１４７を備えたブレード部材１４６を含んでいる。こうして、上部管４０に対して下部管３０が縮動するときにブレード部材１４６の傾斜尖端１４７は両ガイドレール６２間のマガジンスロット７０内に進入し、これにより、ブレード部材１４６の傾斜尖端１４７は磁化壁部に沿って保持された締結具のシャンク部と係合することにより締結具を回転すると共に供給管１３０の中心軸線に対して締結具のシャンクを更に十分に中心軸線に対して一直線上に配置するが、これは、図１０および図１１に示すように締結具ヘッドがプランジャ１４０の係合面１４２により係合されて締結具を磁化壁部１３４から解放する以前に行われる。
【００３２】
図１は、供給管１３０に往復動可能に連結された組立体を形成するカム部材１００およびプランジャ１４０を示しており、傾斜尖端１４７を備えたブレード部材１４６はカム部材１００の下端にて形成されているが、これは図４から図７にも示されている。上部管４０内に配設された下部管３０の上部３４に連結されたフランジ１６０に対し、部分的に図示されると共に公知である迅速解放式(quick release) 蝶ナット・ボルト組立体１５２は、上記マガジン６０を解放可能に連結する。フランジ１６０は上部管４０に沿う長手スロットを貫通するように下部管３０から実質的に径方向に突出することにより、上部管４０に対する下部管３０の伸長および縮動を許容する。図１に示すように、上部管４０は自身回りに配設されたカラー４６を含んでいる。このカラー４６は、上部管４０に対して下部管３０が縮動するときに往復動し得るように供給管１３０回りにスリーブ１４９により連結されたフランジ１４８と係合することにより、バネ部材１４４の付勢力に抗してカム部材１００およびプランジャ１４０の組立体を下動せしめ得るものであり、バネ部材１４４は、上部管４０に対して下部管３０が伸長するときにカム部材１００およびプランジャ１４０の組立体を上動せしめるものである。
【００３３】
図２は、供給管１３０からノーズ部５０へと締結具を通過供給させる通路１７２を備えた取付ブロック１７０内に配設された供給管１３０の下部１３７を示している。取付ブロック１７０は下部管３０の下部３２に合致係合可能な凹面１７４を含み、取付ブロック１７０の通路１７２はノーズ部５０の開口５２と連通している。取付ブロック１７０は、その両側から夫々外側方に延在する２個の脚部材１７６を含んでいる。これらの脚部材１７６は、下部管３０の下部３２に連結されたカラー部材１７８内に形成された相補形状凹所１７７内に解放可能に配設され、脚部材１７６はノーズ部５０の上面１７９上に支持される。本発明のこの特徴に依れば、マガジン６０および供給管１３０は直立型締結具駆動工具に対して容易にかつ解放可能に適合され得るが、こうしたツールとしては例えば、イリノイ州所在のITW Buildex からAutotraxx （商標名）およびFastraxx（商標名）の商標の下で市販されている既存の直立型締結具駆動工具が挙げられる。
【００３４】
図１は、図１２にも示された締結具供給管２００を受容する長手の保持溝１８２を含む管ホルダ１８０に連結されたマガジン６０を示している。管ホルダ１８０の保持溝１８２は、マガジンスロット７０の上部７１に対して一直線上に配置される共に、該上部７１に連結されている。図１５は管ホルダ１８０に向けてマガジン６０の一部に形成された縁部１８３、１８５を示しており、縁部１８３、１８５は、管ホルダ１８０内に配設されたときに締結具供給管２００が着座し得る当接面を形成する。
【００３５】
図１３、１４は、ヘッドおよびシャンクを有する複数個の締結具２を保持する通路２１０を有する締結具供給管２００を示しており、これらの締結具２はその中に並置されている。締結具供給管は管ホルダ１８０の保持溝１８２内に取り外し可能に配設されて締結具供給管２００の通路２１０はマガジンスロット７０に連結されており、締結具供給管２００内に並置された複数個の締結具は、マガジンスロット７０の上部７１へと移送可能であると共に該上部７１内に配設可能である。
【００３６】
締結具供給管２００は締結具をマガジン６０内に移送すると同時に管ホルダ１８０の保持溝１８２から取り外しても良い。と言うのは、供給された締結具は直立型締結具駆動工具１０の作動の間における使用の為にマガジンスロット７０の上部７１内に保持されるからである。代替的に、ツール１０の作動間において締結具供給管２００は管ホルダ１８０の保持溝１８２内に維持され、締結具供給管２００の通路２１０がマガジンスロット７０の上部７１を延長する様にしても良い。代わりに、締結具供給管２００無しで、締結具は手動により直接的に管ホルダ１８０の取入口１８４内およびマガジンスロット７０内に装填し得る。
【００３７】
図１３、１４は、実質的にＴ字形状の断面を有する締結具供給管の通路２１０を示しているが、この形状は、締結具のシャンク近傍の側壁部２１２、２１４と、締結具ヘッドの底面近傍の対設された肩部２１５、２１６と、締結具ヘッドの頂面近傍の端壁部２１８と、により画成される。締結具供給管２００は少なくともその一端に締結具保持部材を含むが、図１２から図１４の好適実施形態において締結具保持部材は、対応する肩部２１５、２１６と端壁部２１８との間の対応する冠部２１９、２２０から締結具供給管２００の通路２１０内に夫々突出する弾性タブ２２２、２２４から成る。弾性タブ２２２、２２４は締結具供給管２００の通路２１０内に複数の締結具２を保持すると共に、好適実施形態においては弾性タブ２２２、２２４の対応する対が締結具供給管２００の両端部に配設されている。但し、代替的実施形態においては、締結具供給管２００の一端は他の手段により被冠もしくは閉塞されても良く、また、弾性タブ２２２、２２４は長尺の本体部材２０８の近傍にまたはその一端のみに配設されても良い。他の代替的実施形態においては、長尺の本体部材２０８の通路２１０内に向けて単一の弾性タブが、側壁部２１２、２１４の一方のみから、または、冠部２１９、２２０から、または、その端壁部２１８から延在しても良い。他の代替実施形態においては、締結具保持部材は、長尺の本体部材２０８の端部を波形状に形成し、或いは、捩曲若しくは屈曲することにより形成することができる。
【００３８】
図１、２および図１５は突起部１８６および１８７を示しており、該突起部１８６および１８７は、締結具供給管２００が管ホルダ１８０の保持溝１８２内に配設されたときに締結具供給管２００の通路２１０から対応する弾性タブ２２２、２２４を撓曲すべく締結具供給管２００の弾性タブ２２２、２２４と係合する為に管ホルダ１８０内に延伸し、これにより、弾性タブが締結具供給管２００の通路２１０から弾性的に外れたとき、締結具供給管２００内に並置して保持された締結具２は其処から解放されてマガジンスロット７０内に移送される。自身の通路２１０内に突出する１個のみの弾性タブを有する締結具供給管２００の形状においては、対応する単一個の突起部が該タブを撓曲する。本発明のこの特徴に依れば、概略的に、複数個の締結具が締結具供給管２００内にしっかりと保持され、これは直立型締結具駆動工具１０の管ホルダ１８０内に容易に装填され、複数個の締結具をそのマガジンスロット７０内に、より詳細にはその上部７１内に移送することができる。締結具供給管２００はまた管ホルダ１８０から取り外し可能であると共に、複数個の締結具を再充填すれば再使用可能である。
【００３９】
図１、２および図１５は、マガジンスロット７０の端壁部７９から離間、延在すると共に締結具供給管２００の端壁部２１８の逆側となる該管２００の頂部側２２１と係合し得る突起部１９０を示している。突起部１９０は、締結具供給管２００が管ホルダ１８０の保持溝１８２内に配設されたときに締結具供給管２００と係合してこれ２００をマガジンスロット７０の肩部７７、７８に向けて付勢すべく、管ホルダ１８０の中心軸線に対して所定角度を以て配設されている。従って、突起部１９０は、締結具供給管２００が管ホルダ１８０の保持溝１８２内に完全に挿入、配設されたときに、マガジンスロット７０の端壁部７９に対して締結具供給管２００の端壁部２１８を整列しもしくは位置決めし、これにより、締結具が締結具供給管２００からマガジンスロット７０の上部７１内に移送されたときにマガジンスロット７０の端壁部７９により締結具が妨げられることを防止している。
【００４０】
図１５は、マガジン６０の縁部１８３、１８５上に支持可能に配設された締結具供給管２００の側壁部２１２、２１４の各端部を示しており、これらの縁部１８３、１８５は側壁２１２、２１４に対応させて位置決めされ、これにより締結具供給管２００に対する支持部を構成している。図８にも示された縁部１８３、１８５はこの様にして当接面を形成するが、これに対しては、締結具供給管２００が管ホルダ１８０内に配設されたときに着座可能である。締結具供給管２００は概略的には管ホルダ１８０内に両者間の摩擦力により保持され、これにより、締結具供給管２００が管ホルダ１８０内に配設されたときの直立型締結具駆動工具１０の操作が許容されるが、これは、直立型締結具駆動工具１０の操作および取扱いの間にそれから締結具供給管２００を分離せずに行われる。
【００４１】
概略的には、使用する際には複数個の締結具が締結具供給管２００内に堅固に保持されるが、これは直立型締結具駆動工具１０の管ホルダ１８０内に容易に装填されてそのマガジンスロット７０内に複数個の締結具を移送し得る。マガジンスロット７０の上部７１内に締結具が締結具供給管２００から移送されると、締結具供給管２００を管ホルダ１８０から取り外しても良く、その後、直立型締結具駆動工具１０は締結具供給管２００なしで作動する。但し既述したように、直立型締結具駆動工具１０は管ホルダ１８０内に締結具供給管２００を配設したままで作動し得る。こうして、締結具が消尽されたときに締結具供給管２００は管ホルダ１８０から容易に取り外し可能であると共に、複数個の締結具を再充填すれば再使用可能である。従って、上記ツールの操作者は締結具を装填した締結具供給管２００を幾つか担持すると共に、マガジンスロット７０の上部７１内に締結具が残っているか否かに関わり無く直立型締結具駆動工具１０の管ホルダ１８０内に締結具供給管２００を好適に装填することにより、比較的に中断すること無いツール１０の作動を許容しても良い。
【図面の簡単な説明】
【図１】本発明の好適実施形態に係る締結具マガジンおよび供給器の組立体を含む直立型締結具駆動工具の上部の部分的側面図である。
【図２】図１の直立型締結具駆動工具の一部を形成するノーズ部を含む直立型締結具駆動工具の下部の部分的側面図である。
【図３】本発明の好適実施形態に係る図１のａ−ａ線に沿った締結具マガジン供給器組立体の部分的側面図である。
【図４】種々の作用段階にある本発明の好適実施形態に係る図１ａのａ−ａ線に沿った締結具マガジン供給器組立体の更なる部分図である。
【図５】種々の作用段階にある本発明の好適実施形態に係る図１ａのａ−ａ線に沿った締結具マガジン供給器組立体の更なる部分図である。
【図６】種々の作用段階にある本発明の好適実施形態に係る図１ａのａ−ａ線に沿った締結具マガジン供給器組立体の更なる部分図である。
【図７】種々の作用段階にある本発明の好適実施形態に係る図１ａのａ−ａ線に沿った締結具マガジン供給器組立体の更なる部分図である。
【図８】本発明の好適実施形態に係る図１のｂ−ｂ線に沿った管ホルダの部分的端面図である。
【図９】種々の作用段階にある本発明の好適実施形態に係る直立型締結具駆動工具のプランジャ組立体の部分的断面図である。
【図１０】種々の作用段階にある本発明の好適実施形態に係る直立型締結具駆動工具のプランジャ組立体の部分的断面図である。
【図１１】種々の作用段階にある本発明の好適実施形態に係る直立型締結具駆動工具のプランジャ組立体の部分的断面図である。
【図１２】図１の直立型締結具駆動工具と組合せて使用可能な締結具供給管の側面図である。
【図１３】図１２のｃ−ｃ線に沿った断面図である。
【図１４】締結具供給管の通路内に保持された締結具をも示す図１２のｄ−ｄ線に沿った端面図である。
【図１５】管ホルダ内に配設された締結具供給管をも示す図１のｂ−ｂ線に沿った別の部分的端面図である。
【符号の説明】
２…締結具
１０締結具駆動工具
１２…回転ドライバ
５０…ノーズ部
６０…マガジン
７０…マガジンスロット
１００…カム部材
１４０…プランジャ
１８０…管ホルダ
１８２…保持溝
２００…締結具供給管
２１０…通路
【図１】
0004160172.tif 000002
【図２】
0004160172.tif 000003
【図３】
0004160172.tif 000004
【図４】
0004160172.tif 000005
【図５】
0004160172.tif 000006
【図６】
0004160172.tif 000007
【図７】
0004160172.tif 000008
【図８】
0004160172.tif 000009
【図９】
0004160172.tif 000010
【図１０】
0004160172.tif 000011
【図１１】
0004160172.tif 000012
【図１２】
0004160172.tif 000013
【図１３】
0004160172.tif 000014
【図１４】
0004160172.tif 000015
【図１５】
0004160172.tif 000016